(57)【要約】【課題】連設される複数の窓板材の縦目地部におけるシール性能および意匠性を向上させることを可能とするシール構造およびガスケット部材を提供すること。【解決手段】連設される複数の窓ガラス材１、１の縦目地部ａを、これら窓ガラス材１、１の対向する両方の側端部１ａ、１ａにそれぞれ設けられる一対のガスケット部材２、２によってシールするシール構造である。一対のガスケット部材２、２は、対向する他方の側端部１ａ、１ａに向けてそれぞれ形成される一対の凸状部２ｂ、２ｂと、これら一対の凸状部２ｂ、２ｂから外部側に離間した位置に互いに、対向する他方の側端部１ａ、１ａに向けてそれぞれ薄板状に形成される一対の薄板状部２ｃ、２ｃとを備えている。窓ガラス材１、１は、一対の凸状部１ｂ、１ｂが互いに密接し、一対の薄板状部１ｃ、１ｃが互いに重なり合った状態で配設されている。【選択図】図１
2005282238.tif 000002
【特許請求の範囲】
【請求項１】
連設される複数の窓板材間の縦目地部を、隣り合う窓板材の対向する側端部にそれぞれ設けられる一対のガスケット部材によってシールするシール構造であって、
前記一対のガスケット部材は対向する両方の前記側端部にそれぞれ設けられた状態で、
対向する他方の前記側端部に向けてそれぞれ形成される一対の主シール部と、
これら一対の主シール部から外部側に離間した位置に、対向する他方の前記側端部に向けてそれぞれ薄板状に形成される一対の補助シール部とを備え、
前記窓板材は、前記一対の主シール部が互いに密接し、前記一対の補助シール部が互いに重なり合った状態で配設されていることを特徴とするシール構造。
【請求項２】
前記ガスケット部材は、前記補助シール部が前記窓板材の外面と略面一状態に、前記窓板材の側端面に接着されていることを特徴とする請求項１に記載のシール構造。
【請求項３】
前記ガスケット部材の前記窓板材の側端面に対する接着は、両面接着テープによってなされていることを特徴とする請求項２に記載のシール構造。
【請求項４】
前記窓板材は、複層構造であることを特徴とする請求項１〜３のいずれか一項に記載のシール構造。
【請求項５】
連設される複数の窓板材間の縦目地部をシールするために、隣り合う窓板材の対向する側端部にそれぞれ設けられる一対のガスケット部材であって、
対向する両方の前記側端部にそれぞれ設けられた状態で、
対向する他方の前記側端部に向けてそれぞれ形成され、前記窓板材の配設状態で互いに密接する一対の主シール部と、
これら一対の主シール部から外部側に離間した位置に、対向する他方の前記側端部に向けてそれぞれ薄板状に形成され、前記窓板材の配設状態で互いに重なり合う一対の補助シール部とを備えることを特徴とするガスケット部材。
【発明の詳細な説明】
【技術分野】
【０００１】
本発明は、連設される複数の窓板材の縦目地部をシールするシール構造およびガスケット部材に関する。
【背景技術】
【０００２】
建物の窓開口に連設される複数の窓板材の縦目地部をシールするシール構造としては、例えば、特許文献１に記載されているものがある。
この特許文献１に記載されている縦目地部のシール構造は、図３に示すように、隣り合う窓板材１０４ａ、１０４ｂの縦目地部に沿う方立部材１０６に連結固定されたガスケット支持部材１０９ａ、１０９ｂに支持され、窓板材１０４ａ、１０４ｂの対向する側端部をそれぞれ嵌め込み支持するように一対のガスケット部材１０８ａ、１０８ｂが設けられている。そして前記一対のガスケット部材１０８ａ、１０８ｂの少なくとも一方に断面中空のシール凸状１１２を一体成型したものである。
【０００３】
前記特許文献１に記載の技術においては、前記断面中空状のシール凸状１１２の弾性変形可能範囲が大きいため、窓板材１０４ａ、１０４ｂの面外方向、面内方向のずれを吸収しながら水密性を確保できる、という効果が記載されている。また、前記シール凸状１１２を間隔を空けて複数設けることによって水密性がさらに高まるとともに、各シール凸状１１２間にシール空間１１４が形成され、このシール空間１１４によって外部からの作用する圧力が減圧されて水密性がさらに高まる、という効果も記載されている。
【特許文献１】特開平１１─３０３５２２号公報
【発明の開示】
【発明が解決しようとする課題】
【０００４】
ところで、前記公報に記載されているシール構造においては、シール凸状１１２が一条のみである場合には、このシール凸状１１２が弾性変形するとはいえ防水対策上安全とは言えず、このため実施例においてはシール凸状１１２を間隔を空けて二条設けている。
しかしながら、前記したような２重のシール構造においても、強風や地震等、何らかの原因でシール空間１１４内に雨水が侵入してしまう可能性がある。この場合、一度シール空間１１４内に侵入してしまった雨水を上下方向に排水することも可能であるが、シール空間１１４が上下方向に長い場合、雨水を短期間で排水するのは困難であり、この場合、シール凸状１１２が比較的長期にわたって雨水に晒され、この部分からの漏水が懸念される。
【０００５】
また、前記公報に記載されているシール構造においては、ガスケット部材１０８ａ、１０８ｂを窓板材１０４ａ、１０４ｂに嵌め込んでいるために、窓板材１０４ａ、１０４ｂの外部側にガスケット部材１０８ａ、１０８ｂによる突出部が形成され、意匠的に好ましくない場合が多い。
【０００６】
本発明の課題は、連設される複数の窓板材の縦目地部のシール性能を向上させるとともに意匠性も向上させることを可能とする、シール構造およびガスケット部材を提供することである。
【課題を解決するための手段】
【０００７】
上記課題を解決するため、請求項１に記載の発明は、例えば図１および図２に示すように、
連設される複数の窓板材（窓ガラス材１、１）の縦目地部ａを、隣り合う窓板材（窓ガラス材１、１）の対向する側端部１ａ、１ａにそれぞれ設けられる一対のガスケット部材２、２によってシールするシール構造であって、
前記一対のガスケット部材２、２は対向する両方の前記側端部１ａ、１ａにそれぞれ設けられた状態で、
対向する他方の前記側端部１ａ、１ａに向けてそれぞれ形成される一対の主シール部（凸状部２ｂ、２ｂ）と、
これら一対の主シール部（凸状部２ｂ、２ｂ）から外部側に離間した位置に、対向する他方の前記側端部１ａ、１ａに向けてそれぞれ薄板状に形成される一対の補助シール部（薄板状部２ｃ、２ｃ）とを備え、
前記窓板材（窓ガラス材１、１）は、前記一対の主シール部（凸状部２ｂ、２ｂ）が互いに密接し、前記一対の補助シール部（薄板状部２ｃ、２ｃ）が互いに重なり合った状態で配設されていることを特徴としている。
【０００８】
請求項１に記載の発明によれば、前記一対のガスケット部材は隣り合う窓板材の互いに対向する両方の側端部にそれぞれ設けられた状態で、前記一対の主シール部が対向する他方の前記側端部に向けてそれぞれ形成され、前記一対の補助シール部が前記一対の主シール部から外部側に離間した位置に、対向する他方の前記側端部に向けてそれぞれ薄板状に形成されている。そして、前記窓板材の配設状態では、前記一対の主シール部が互いに密接し、前記一対の補助シール部が互いに重なり合った状態となっている。これにより、前記一対の主シール部の外部側には、これらと前記一対の補助シール部とによって囲まれる空間が形成されている。
【０００９】
この状態においては、前記一対の主シール部によって外部からの風雨の侵入が防止される。また、前記一対の補助シール部が互いに重なり合った状態では、前記一対の主シール部が風雨にさらされることが防止されるとともに、前記空間において一定圧力が保持される。さらに、互いに重なり合った状態の前記一対の補助シール部に強風雨等が作用した場合には、前記一対の補助シール部の重なりが外れ、前記空間には雨水が侵入し、この状態で前記一対の補助シール部がそれらの弾性力で再び重なり合った状態となって一定圧力が保持される。そして、前記空間に侵入した雨水の大半は直ぐに排出されるが、ガスケット部材の内面等に付着しているの残りの雨水は、晴天時等に前記一対の補助シール部に強風等が作用して前記一対の補助シール部の重なりが一時的に外れて前記空間に風が吹き込んだ場合等に、一定圧力が保持される前記空間から押し出されるように排出される。
【００１０】
すなわち、前記一対の補助シール部は、前記一対の主シール部が風雨にさらされることを略防止する。また、たとえ前記空間に雨水が侵入した場合にも前記したように比較的短期間で排出されるため、前記一対の主シール部が長期にわたって雨水に浸ることがない。以上により、シール性能を向上させることができる。
【００１１】
さらに、前記一対の主シール部と前記一対の補助シール部とによって囲まれる空間の上下開口を、窓板材の上下端部を支持する支持部材にそれぞれ形成された外気導入孔兼排水口に連通させることによって、前記空間を外気に開放させて、建物の外部と内部の間に同圧の空間（一対の主シール部と一対の補助シール部とによって囲まれる空間）を作り、水が内部に侵入する力を緩衝させ、水を外気導入孔兼排水口から排出させることができる。
加えて、連設される複数の窓板材の縦目地部を、これら窓板材の対向する側端部にそれぞれ設けられる一対のガスケット部材によってシールしているので、従来の湿式によるシーリングに比して、耐汚染性能に優れている。例えば、従来の湿式によるシーリングの場合、化学的性状変化でシリコンオイルが垂れて、壁が汚れたり、この壁に垂れたシリコンオイルに塵等が付着するが、本発明によるシール構造ではそのようなことがない。
【００１２】
本発明に係るシール構造は、例えば、建物にその躯体の外面に沿ってカーテンウォール形式の窓板材を施工する場合等に適用される。
【００１３】
請求項２に記載の発明は、例えば図１および図２に示すように、請求項１に記載のシール構造において、
前記ガスケット部材２、２は、前記補助シール部（薄板状部２ｃ、２ｃ）が前記窓板材（窓ガラス材１、１）の外面１ｆと略面一状態に、前記窓板材（窓ガラス材１、１）の側端面に接着されていることを特徴としている。
【００１４】
請求項２に記載の発明によれば、前記窓板材の縦目地部に外部側への突出部が形成されず、フラット面となるため、意匠性を向上させることができる。
【００１５】
請求項３記載の発明は、例えば図１および図２に示すように、請求項２に記載のシール構造において、
前記ガスケット部材２の前記窓板材（窓ガラス材１）の側端面に対する接着は、両面接着テープ４によってなされていることを特徴としている。
【００１６】
請求項３に記載の発明によれば、前記窓板材の側端面と前記ガスケット部材との接着を乾式の前記両面接着テープによって容易かつ安価に行うことができる。
【００１７】
請求項４に記載の発明は、例えば図１および図２に示すように、請求項２または請求項３に記載のシール構造において、
前記窓板材（窓ガラス材１）は、複層構造であることを特徴としている。
【００１８】
ここで、複層構造とは、複数の窓板材例えば２枚のガラス板を、それらの周辺部にスペーサを介して対向した構造のことをいう。
【００１９】
請求項４に記載の発明によれば、前記窓板材の側端面が複数形成されるので、前記側端面と前記ガスケット部材との接着性を向上させることができる。
【００２０】
請求項５に記載の発明は、例えば図１および図２に示すように、
連設される複数の窓板材（窓ガラス材１、１）の縦目地部ａをシールするために、隣り合う窓板材（窓ガラス材１、１）の対向する側端部１ａ、１ａにそれぞれ設けられる一対のガスケット部材２、２であって、
対向する両方の前記側端部１ａ、１ａにそれぞれ設けられた状態で、
対向する他方の前記側端部１ａ、１ａに向けてそれぞれ形成され、前記窓板材（窓ガラス材１、１）の配設状態で互いに密接する一対の主シール部（凸状部２ｂ、２ｂ）と、これら一対の主シール部（凸状部２ｂ、２ｂ）から外部側に離間した位置に、対向する他方の前記側端部１ａ、１ａに向けてそれぞれ薄板状に形成され、前記窓板材（窓ガラス材１、１）の配設状態で互いに重なり合う一対の補助シール部（薄板状部２ｃ、２ｃ）とを備えることを特徴としている。
【００２１】
請求項５に記載の発明によれば、前記一対のガスケット部材は隣り合う窓板材の互いに対向する両方の側端部にそれぞれ設けられた状態で、前記一対の主シール部が対向する他方の前記側端部に向けてそれぞれ形成され、前記一対の補助シール部が前記一対の主シール部から外部側に離間した位置に、対向する他方の前記側端部に向けてそれぞれ薄板状に形成される。そして、前記窓板材の配設状態では、前記一対の主シール部が互いに密接し、前記一対の補助シール部が互いに重なり合った状態となる。これにより、前記一対の主シール部の外部側には、これらと前記一対の補助シール部とによって囲まれる空間が形成される。
【００２２】
この状態においては、前記一対の主シール部によって外部からの風雨の侵入が防止される。また、前記一対の補助シール部が互いに重なり合った状態では、前記一対の主シール部が風雨にさらされることが防止されるとともに、前記空間において一定圧力が保持される。さらに、互いに重なり合った状態の前記一対の補助シール部に強風雨等が作用した場合には、前記一対の補助シール部の重なりが外れ、前記空間には雨水が侵入し、この状態で前記一対の補助シール部がそれらの弾性力で再び重なり合った状態となって一定圧力が保持される。そして、前記空間に侵入した雨水の大半は直ぐに排出されるが、ガスケット部材の内面等に付着しているの残りの雨水は、晴天時等に前記一対の補助シール部に強風等が作用して前記一対の補助シール部の重なりが一時的に外れて前記空間に風が吹き込んだ場合等に、一定圧力が保持される前記空間から押し出されるように排出される。
【００２３】
すなわち、前記一対の補助シール部は、前記一対の主シール部が風雨にさらされることを略防止する。また、たとえ前記空間に雨水が侵入した場合にも前記したように比較的短期間で排出されるため、前記一対の主シール部が長期にわたって雨水に浸ることがない。以上により、シール性能を向上させることができる。
【発明の効果】
【００２４】
本発明によれば、一対の主シール部によって外部からの風雨の侵入を防止でき、また、一対の補助シール部によって一対の主シール部が風雨にさらされるのを防止できる。さらに、一対の主シール部と一対の補助シール部とによって囲まれる空間に侵入した雨水の大半は直ぐに排出されるが、ガスケット部材の内面等に付着しているの残りの雨水は、晴天時等に前記一対の補助シール部に強風等が作用して前記一対の補助シール部の重なりが一時的に外れて前記空間に風が吹き込んだ場合等に、一定圧力が保持される前記空間から押し出されるように排出される。
【００２５】
すなわち、前記一対の補助シール部は、前記一対の主シール部が風雨にさらされることを略防止できる。また、たとえ前記空間に雨水が侵入した場合にも前記したように比較的短期間で排出させるため、前記一対の主シール部が長期間にわたって雨水に浸ることがない。以上により、シール性能を向上させることができる。
【発明を実施するための最良の形態】
【００２６】
以下、図１および図２を参照して、本発明であるシール構造およびガスケット部材の実施の形態について詳細に説明する。
【００２７】
本発明に係るシール構造は、図１、図２に示すように、建物にその躯体の外面に沿ってカーテンウォール形式の窓ガラス材（窓板材）１、１を施工する場合等に適用され、連設される複数の窓ガラス材１、１の縦目地部ａを、これら窓ガラス材１、１の対向する側端部１ａ、１ａにそれぞれ設けられる一対のガスケット部材２、２によってシールするものである。
【００２８】
図１に示すように、窓ガラス材１、１は、２枚のガラス板１ｂ、１ｂで挟んだスペーサ１ｃの外側にシーリング材１ｄが充填されて密閉された複層構造となっている。窓ガラス材１、１の縦目地部ａの内部側には、これら窓ガラス材１、１を主にそれらの上端部および下端部において支持し、アルミ合金等からなる方立部材３が上下に延在して設けられている。この方立部材３は、隣り合う窓ガラス材１、１をそれらの側端部１ａ、１ａにおいてもそれぞれ支持しており、方立部材３と窓ガラス材１、１の内面１ｅとの間には、スペーサ３ａ、シーリング材３ｂ等が設けられている。窓ガラス材１、１の側端面それぞれには、例えばクロロプレンゴム等のゴム材からなる同一断面形状の一対のガスケット部材２、２が、縦目地部ａを挟んで左右対称となるように固定されている。
【００２９】
ここで、ガスケット部材２の窓ガラス材１の側端面に対する固定は、シール性能を備えた両面接着テープ４によってなされている。なお、ガスケット部材２、２は、後述する薄板状部２ｃが窓ガラス材１の外面１ｆと略面一状態となるように側端面に両面接着テープ４によって接着されており、これにより、窓ガラス材１、１の縦目地部ａに外部側への突出部が形成されないようになっている。なお、窓ガラス材１が複層構造となっていることで窓ガラス材１の側端面が複数形成され、これら側端面とガスケット部材２との接着性が向上するようになっている。
【００３０】
一対のガスケット部材２、２は窓ガラス材１、１の側端面にそれぞれ接着される接着面部２ａ、２ａを備え、これら接着面部２ａ、２ａが窓ガラス材１、１の対向する両方の側端面にそれぞれ接着された状態で、対向する他方の側端部１ａ、１ａに向けて断面中空状にそれぞれ形成される一対の凸状部（主シール部）２ｂ、２ｂ、これら凸状部２ｂ、２ｂから外部側に離間した位置に、対向する他方の側端部１ａ、１ａに向けてそれぞれ薄板状に形成される一対の薄板状部（補助シール部）２ｃ、２ｃとを備えている。接着面部２ａ、２ａには、両面接着テープ４の一方の面が挿入された状態で接着される接着溝２ａ１が２列形成されている。なお、一対の凸状部２ｂ、２ｂがそれぞれ断面中空状に形成されていることで、これら凸状部２ｂ、２ｂの弾性変形可能範囲が大きくなり、窓ガラス材１、１の面外方向、面内方向のずれを吸収しながら水密性を確保できるようになっている。
【００３１】
窓ガラス材１、１は、一対の凸状部２ｂ、２ｂが互いに密接し、一対の薄板状部２ｃ、２ｃが互いに重なり合った状態で配設されている。
【００３２】
図２は、前記したようなカーテンウォール形式の建物の出隅部を形成するように互いに略直角に配設された２枚の窓ガラス材１、１の縦目地部ａをシールするために、本発明に係るシール構造が適用されたものである。図２に示すシール構造の構成は、図１に示すシール構造の構成と、建物の出隅部であるか否かの相違以外は同じであるので、同符号を付して説明を省略する。ただし、図２に示すシール構造に用いられるガスケット部材２は、その設けられる窓ガラス材１、１の配設位置が建物の出隅部であることから、図１に示すガスケット部材２よりも、幅が大きく、かつ、凸状部２ｂと薄板状部２ｃとの間隔が大きく形成されている。
【００３３】
以下に、前記したシール構造が縦目地部ａをシールするしくみを説明する。
前述したシール構造においては、窓ガラス材１、１の配設状態においては、一対のガスケット部材２、２の、一対の凸状部２ｂ、２ｂが互いに密接し、一対の薄板状部２ｃ、２ｃが互いに重なり合った状態となっている。これにより、一対の凸状部２ｂ、２ｂの外部側には、これらと一対の薄板状部２ｃ、２ｃとによって囲まれる空間２ｄが形成されている。
【００３４】
この状態においては、一対の凸状部２ｂ、２ｂによって外部からの風雨の侵入が防止される。また、一対の薄板状部２ｃ、２ｃが互いに重なり合った状態では、一対の凸状部２ｂ、２ｂが風雨にさらされることが防止されるとともに、前記した空間２ｄにおいて一定圧力が保持される。さらに、互いに重なり合った状態の一対の薄板状部２ｃ、２ｃに強風雨等が作用した場合には、一対の薄板状部２ｃ、２ｃの重なりが外れ、空間２ｄには雨水が侵入し、この状態で一対の薄板状部２ｃ、２ｃがそれらの弾性力で再び重なり合った状態となって一定圧力が保持される。そして、前記空間２ｄに侵入した雨水の大半は直ぐに排出されるが、ガスケット部材の内面等に付着しているの残りの雨水は、晴天時等に一対の薄板状部２ｃ、２ｃに強風等が作用して一対の薄板状部２ｃ、２ｃの重なりが一時的に外れて前記空間２ｄに風が吹き込んだ場合等に、一定圧力が保持される前記空間から押し出されるように排出される。
【００３５】
本実施の形態によれば、以下のような効果を得ることができる。
（１）一対のガスケット部材２、２に備えられた一対の凸状部２ｂ、２ｂは、互いに反対側の窓ガラス材１、１の側端部１ａ、１ａに向けてそれぞれ形成され、一対の薄板状部２ｃ、２ｃは、一対の凸状部２ｂ、２ｂから外部側に離間した位置に互いに反対側の窓ガラス材１、１の側端部１ａ、１ａに向けてそれぞれ薄板状に形成されている。そして、窓ガラス材１、１の配設状態では、一対の凸状部２ｂ、２ｂが互いに密接し、一対の薄板状部２ｃ、２ｃが互いに重なり合った状態となっている。これにより、一対の凸状部２ｂ、２ｂの外部側には、これらと一対の薄板状部２ｃ、２ｃとによって囲まれる空間２ｄが形成されている。
【００３６】
この状態においては、一対の凸状部２ｂ、２ｂによって外部からの風雨の侵入が防止される。また、一対の薄板状部２ｃ、２ｃが互いに重なり合った状態では、一対の凸状部２ｂ、２ｂが風雨にさらされることが防止されるとともに、前記した空間２ｄにおいて一定圧力が保持される。さらに、互いに重なり合った状態の一対の薄板状部２ｃ、２ｃに強風雨等が作用した場合には、一対の薄板状部２ｃ、２ｃの重なりが外れ、空間２ｄには雨水が侵入し、この状態で一対の薄板状部２ｃ、２ｃがそれらの弾性力で再び重なり合った状態となって一定圧力が保持される。そして、前記空間２ｄに侵入した雨水の大半は直ぐに排出されるが、ガスケット部材の内面等に付着しているの残りの雨水は、晴天時等に一対の薄板状部２ｃ、２ｃに強風等が作用して一対の薄板状部２ｃ、２ｃの重なりが一時的に外れて前記空間２ｄに風が吹き込んだ場合等に、一定圧力が保持される前記空間から押し出されるように排出される。
【００３７】
すなわち、一対の薄板状部２ｃ、２ｃは、一対の凸状部２ｂ、２ｂが風雨にさらされることを略防止する。また、たとえ空間２ｄに雨水が侵入した場合にも前記したように比較的短期間で排出されるため、一対の凸状部２ｂ、２ｂが長期間にわたって雨水に浸ることがない。以上により、シール性能を向上させることができる。
【００３８】
（２）ガスケット部材２の窓ガラス材１の側端面に対する固定を、シール性能を備えた乾式の両面接着テープ４によって容易かつ安価に行うことができる。この場合において、窓ガラス材１が複層構造となっていることで窓ガラス材１の側端面が複数形成され、これら側端面とガスケット部材２との接着性を向上させることができる。この際、ガスケット部材２は、薄板状部２ｃが窓ガラス材１の外面１ｆと略面一状態に、窓ガラス材１の側端面に接着されているため、窓ガラス材１、１の縦目地部ａに外部側への突出部が形成されない。したがって意匠性を向上させることができる。
【００３９】
なお、本発明は本実施の形態に限定されるものではなく、本発明の趣旨を逸脱しない範囲で任意の変更が可能である。
【００４０】
例えば、本実施の形態においては、ガスケット部材２の窓ガラス材１の側端面への接着を乾式の両面接着テープ４によって行っているが、例えば、湿式の接着剤によって行ってもよい。
【図面の簡単な説明】
【００４１】
【図１】（ａ）は本発明に係るシール構造を示す図であり、（ｂ）は本発明に係るガスケット部材を示す平断面図である。
【図２】（ａ）は本発明に係るシール構造を示す図であり、（ｂ）は本発明に係るガスケット部材を示す平断面図である。
【図３】従来のガスケット部材およびこのガスケット部材を用いたシール構造を示す図である。
【符号の説明】
【００４２】
１        窓ガラス材（窓板材）
１ａ      側端部
１ｆ      外面
２        ガスケット部材
２ａ      接着面部
２ａ１    接着溝
２ｂ      凸状部（主シール部）
２ｃ      薄板状部（補助シール部）
４        両面接着テープ
ａ        縦目地部
【図１】
2005282238.tif 000003
【図２】
2005282238.tif 000004
【図３】
2005282238.tif 000005